(57)【要約】【課題】追加の駆動装置を必要とすることなく、収納空間の短手サイズを変化させる。【解決手段】紙葉類を集積する方向に動く押板と、紙葉類の搬送口を有する第１の壁面と、押板をはさんで第１の壁面に対向する第２の壁面と、を有し、押板の動作により、第２の壁面が第１の壁面との間の距離を変える方向に動く。【選択図】図５
2018158764.tif 000002
【特許請求の範囲】
【請求項１】
紙葉類を集積する方向に動く押板と、  前記紙葉類の搬送口を有する第１の壁面と、
前記押板をはさんで前記第１の壁面に対向する第２の壁面と、を有し、
前記押板の動作により、前記第２の壁面が前記第１の壁面との間の距離を変える方向に動く、
ことを特徴とする紙葉類繰出集積装置。
【請求項２】
請求項１に記載の紙葉類繰出集積装置において、
前記第２の壁面は、支軸を中心に回転可能な腕状部品の先端により形成され、前記腕状部品の回転角度を変えることにより、前記第２の壁面と垂直な方向である前記方向に動く、
ことを特徴とする紙葉類繰出集積装置。
【請求項３】
請求項２に記載の紙葉類繰出集積装置において、
前記腕状部品に連結する部品が前記押板に押されることにより前記第２の壁面が動き、前記部品が前記押板と離れて押されなくなったときには、前記部品が他の部品によりロックされ、前記離れて押されなくなったときの位置で前記第２の壁面が保持される、
ことを特徴とする紙葉類繰出集積装置。
【請求項４】
請求項３に記載の紙葉類繰出集積装置において、
前記部品が所定位置まで前記押板により押されたとき、前記ロックが解除され、弾性部材の付勢力により、前記腕状部品が初期位置に戻る、
ことを特徴とする紙葉類繰出集積装置。
【請求項５】
請求項１に記載の紙葉類繰出集積装置において、
前記押板の動作により、前記紙葉類である紙幣の大きさに応じて前記第１の壁面と前記第２の壁面との間の距離を合わせるように、前記第２の壁面が前記方向に動く、
ことを特徴とする紙葉類繰出集積装置。
【請求項６】
請求項１に記載の紙葉類繰出集積装置において、
前記腕状部品が開く角度を検知するためのセンサをさらに備える、
ことを特徴とする紙葉類繰出集積装置。
【発明の詳細な説明】
【技術分野】
【０００１】
本発明は、例えば、金融機関などで使用される現金自動取引装置に実装される紙葉類繰出集積装置に関する。
【背景技術】
【０００２】
従来、例えば金融機関などで使用される現金自動取引装置には、紙幣取扱装置が実装されている。この紙幣取扱装置は、利用者に入金された紙幣を一枚ずつ繰り出す機能及び出金紙幣を放出する機能を有する紙幣入出金口と、入金紙幣もしくは出金紙幣を判別する紙幣判別部と、入金した紙幣を一旦収納する一時収納部と、入金紙幣を収納・保管し、出金紙幣等として繰り出す紙幣収納庫と、紙幣収納庫に収納しない入金紙幣や、紙幣収納庫から繰り出された紙幣および入金された紙幣のうち出金しない紙幣を収納するリジェクト庫と、紙幣収納庫の紙幣枚数を計数するために、一時搬送する計数庫とこれらの各ユニットを接続する紙幣搬送路とが備えられている。
【０００３】
最近では多金種化・大容量化が進んだことにより、紙幣収納庫を装置の下部に並べて配置し、その他の部分を紙幣取扱装置上部に集めて配置する構成の紙幣取扱装置が提供されている（特許文献１参照）。この紙幣取扱装置は、紙幣入出金口、紙幣判別部、一時収納部が装置上部に配置されており、下部に紙幣を上下方向に積層させて収納する縦長の紙幣収納庫、計数庫とが前後に複数配置されている。
【０００４】
このような紙幣取扱装置においては、金融機関などの運用に応じ、定期的に紙幣収納庫内の紙幣枚数を数え、確定する必要がある場合が多く、国内では、紙幣取扱装置を用い紙幣枚数を自動で数える方法として、紙幣収納庫内の紙幣を空の計数庫に一旦搬送した後、再度紙幣収納庫に戻すことで、紙幣の枚数を数えるという方法が用いられている。国内では紙幣全金種の短手寸法が同じであり、紙幣収納庫と計数庫の収納空間の短手サイズをすべて同じにできるため、この方法が可能であるが、海外では国内と異なり、金種によって紙幣の短手寸法の異なる場合が多く、その場合、計数庫の収納空間は、一番大きな紙幣の短手サイズに合わせて大きく設定する必要がある。しかし、短手寸法の小さな紙幣を大きな収納空間の計数庫に収納した場合、紙幣の姿勢が乱れ、その後、紙幣収納庫に戻すために紙幣を繰り出そうとしたときに、安定して紙幣を繰り出せないという問題があり、金種によって紙幣の短手寸法が異なる国においては、紙幣取扱装置を用いて自動で紙幣枚数を数えることが難しかった。
【０００５】
このような問題に対し、特許文献２では、収納空間の片側の壁面を、リンク機構を用いて動かせるようにし、それをアクチュエータで駆動することにより、収納空間の短手サイズを変化させる紙幣カセットが提案されている。
【先行技術文献】
【特許文献】
【０００６】
【特許文献１】特開平８−２２１６３６号公報
【特許文献２】特許第５５８０８４１号
【発明の概要】
【発明が解決しようとする課題】
【０００７】
しかしながら、上記特許文献２に開示された紙幣カセットを用いた場合であっても、駆動源として追加のアクチュエータ等の駆動装置が必要になり、従来のカセットの載せ替えでの対応が難しいという課題があった。
【０００８】
本発明は、上記に鑑みてなされたものであって、追加の駆動装置を必要とすることなく、収納空間の短手サイズを変化させることが可能な紙葉類繰出集積装置を提供することを目的とする。
【課題を解決するための手段】
【０００９】
上記課題を解決し、目的を達成するために、本発明にかかる紙葉類繰出集積装置は、紙葉類を集積する方向に動く押板と、前記紙葉類の搬送口を有する第１の壁面と、前記押板をはさんで前記第１の壁面に対向する第２の壁面と、を有し、前記押板の動作により、前記第２の壁面が前記第１の壁面との間の距離を変える方向に動く、ことを特徴とする紙葉類繰出集積装置として構成される。
【発明の効果】
【００１０】
本発明によれば、追加の駆動装置を必要とすることなく、収納空間の短手サイズを変化させることが可能となる。
【図面の簡単な説明】
【００１１】
【図１】紙幣取扱装置を搭載した現金自動取引装置の外観斜視図。
【図２】紙幣取扱装置を搭載した現金自動取引装置の外観斜視図。
【図３】紙幣取扱装置の構成を示す側面図。
【図４】計数庫の構成を示す側面図。
【図５】計数庫の構成を示す斜視図。
【図６】計数庫の構成を示す斜視図。
【図７】計数庫の構成を示す斜視図。
【図８】計数庫の構成を示す斜視図。
【図９】計数庫の構成を示す斜視図。
【図１０】計数庫の構成を示す斜視図。
【図１１】計数庫の動作を示す斜視図。
【図１２】計数庫の動作を示す斜視図。
【図１３】計数庫の動作を示す側面図。
【図１４】計数庫の構成を示す上面図。
【発明を実施するための形態】
【００１２】
以下に添付図面を参照して、本発明にかかる紙葉類繰出集積装置の実施の形態を詳細に説明する。以下では、本発明にかかる紙葉類繰出集積装置が紙幣取扱装置に備えられている場合について説明しているが、紙幣に限らず、印紙、有価証券等、紙幣と同様に集積される様々な紙葉類について適用することができる。
【００１３】
図１は、紙幣取扱装置１を搭載した現金自動取引装置１０１の外観を示す斜視図である。この現金自動取引装置１０１は、カード、紙幣、明細票を媒体とし、利用者の預け入れ、支払い、振り込みなどの処理を行うものである。
【００１４】
現金自動取引装置１０１の上部には、利用者の通帳を処理し、取引明細を印字して放出する通帳処理機構１０６と、利用者のカードを処理し、取引明細票を印字して放出するカード・明細票処理機構１０７を備える。通帳処理機構１０６は、スロット１０６ａと連通し、スロット１０６ａから投入された利用者の通帳を処理し、取引明細を印字して放出する。カード・明細票処理機構１０７は、スロット１０７ａと連通し、スロット１０７ａから投入された利用者のカードを処理し、取引明細票を印字して放出する。また、現金自動取引装置１０１は、装置正面前方に取引の内容を表示および入力する顧客操作部１０４を備えている。
【００１５】
さらに、現金自動取引装置１０１は、下段右側に紙幣取扱装置１が備えられている。紙幣取扱装置１は、入出金口がシャッタ２０ａに連通しており、紙幣の入金および出金取引を処理する。現金自動取引装置１０１の紙幣取扱装置１の左側には、硬貨処理装置１０５を備えている。硬貨処理装置１０５は、入出金口がシャッタ１０５ａに連通しており、硬貨の入金および出金取引を処理する。なお、現金自動取引装置１０１は、この硬貨処理装置１０５を備えない構成としてもよい。
【００１６】
図２は、紙幣取扱装置１を搭載した現金自動取引装置１０１の外観を背面側からみた斜視図である。紙幣取扱装置１は、下部にトレイ１１１（引出手段）を備えている。トレイ１１１には紙幣計数庫７０と複数の紙幣収納庫（７１〜７４）が前後方向に一列に整列配置した状態で収納される。
【００１７】
現金自動取引装置１０１の背面には、扉１０２が備えられている。この扉１０２を開くと、紙幣取扱装置１のトレイ１１１をレール１１０により引き出だすことができ、引き出した状態で計数庫７０と複数の紙幣収納庫（７１〜７４）を着脱可能としている。また、図１の扉１０２ｂの開閉により、紙幣取扱装置１のトレイ１１１を前方に引き出すことができる現金自動取引装置も提案されている。
【００１８】
現金自動取引装置１０１は、他にも、構成部分に電力を供給する電源部や、各機構がＵＳＢ等の回線によって接続される本体制御部も備えるが、本発明の特徴には直接関係がないので詳細な説明は省略する。
【００１９】
このように構成された現金自動取引装置１０１は、前面の接客面にて利用者による預け入れ、支払い、振り込みなどの処理を受け付け、これらの処理を実行する。この現金自動取引装置１０１は、カード、紙幣、明細票を媒体として使用する。
【００２０】
図３は、紙幣取扱装置１の構成を示す側面から見た説明図である。紙幣取扱装置１の上部には、主に利用者との紙幣の授受に必要な機構が集められている。上部前方（図３右側上段）には、利用者が紙幣の投入・取り出しを行う紙幣入出金口２０が配置され、中央部に紙幣の判別を行う紙幣判別部３０が配置され、後部上段（図３左側上段）に利用者が入金した紙幣を取引成立までの間一旦収納する一時収納部３５が配置される。一時収納部３５の下段には、入金取引や出金取引に供しない紙幣を収納する為、もしくは顧客の抜き取り忘れた紙幣を収納する為のリジェクト庫７５が配置される。
【００２１】
紙幣取扱装置１の下部後面には、紙幣収納庫７１〜７３に、紙幣収納庫内の紙幣枚数を計数するための計数庫７０が配置される。計数庫７０の前方には、入金された紙幣を金種別に上下方向に積層させて収納し、繰り出しするための紙幣収納庫７１〜７４が前後に並べて配置される。
【００２２】
紙幣収納庫７４は入金取引や出金取引に供しない紙幣を収納する為のリジェクト庫として用いても良い。計数庫７０の搬送路１０ｇへの紙幣授受のための搬送路７０ａは紙幣取扱装置１の前方側に構成する。一方、紙幣収納庫７１〜７４の搬送路１０ｈもしくは１０ｇへの紙幣授受のための搬送路７１ａ〜７４ａは紙幣取扱装置１の後方側に構成する。
【００２３】
これらの機構部はユニット化され、紙幣の授受を行う為の搬送路により接続される。図３に示す搬送路の矢印の方向は紙幣を搬送する方向を示す。搬送路の両端に矢印が有る場合は、双方向に紙幣を搬送する搬送路であることを示す。このように、紙幣取扱装置１は以上の機構部と図示省略されている制御部により構成される。紙幣取扱装置１は、各ユニットに駆動モータや電磁ソレノイドやセンサなど（図示せず）をも有している。紙幣取扱装置１は、後述の取引に応じてセンサで状態を監視しながら、アクチュエータ（駆動モータや電磁ソレノイド等）を駆動制御し、入金取引、出金取引、紙幣計数、紙幣回収、取り忘れ回収取引といった処理を実行する。
【００２４】
図４に、本発明にかかる紙葉類繰出集積装置を適用した計数庫８０の側面図を示す。図４に示すように、計数庫８０には、第１の壁面８０ａと第２の壁面８０ｂが配置され、それらの間に紙幣収納空間８０ｃが形成される。計数庫８０の上面には、外部と紙幣の授受を行う紙幣入出口部８０ｄが配置される。紙幣収納空間８０ｃに、紙幣は平積みに上下方向に積層され収納される。紙幣収納空間８０ｃには、紙幣繰出集積機構４０が配置される。
【００２５】
紙幣の集積動作時の紙幣繰出集積機構４０の動作について説明する。スタックガイド４５は、フィードローラ軸４８を支点に回転し、スタックガイド４５の先端が下方に移動する。押板４６は、押板駆動源の駆動力により移動する。この押板４６は、収納紙幣の増加に伴い、紙幣収納空間に放出された紙幣と押板４６上に積層された紙幣が干渉しないよう、収納紙幣を下げる方向に移動制御される。つまり、紙幣が押板４６に集積されるとスタックガイド４５の先端が上方に徐々に移動するが、積層された紙幣の最上面と、ゲートローラ４３の繰り出し部との間の幅が一定となるように、押板４６を下げる方向に移動させている。  紙幣の繰り出し動作時には、押板４６が上方へ移動することで、図示しないばね等の力により、押板４６上の紙幣がピックアップローラ４２に所定の押圧力で押圧される。このとき、押板４６は、それぞれ独立した押板駆動源により駆動させる。スタックガイド４５は押板４６上の紙幣に押され、上方に移動する。
【００２６】
ピックアップローラ４２に押し付けられた紙幣は、回転するフィードローラ４１で送り出され、繰り出し方向には回転しないゲートローラ４３で２枚送りを防止しながら紙幣入出口部８０ｄに搬送され、紙幣が繰り出される。
【００２７】
次に本発明にかかる紙葉類繰出集積装置を適用した計数庫８０の第２の壁面８０ｂを形成する扉部５０の構成を図５に示す。扉部５０には、紙幣の集積方向に、紙幣収納空間の上から下までの高さを持ち、軸となる支点５２ａを中心に回転する平らな腕状部品５２を、扉部５０の内側の面である紙幣集積側の面の中央部左右に２個備える。また、腕状部品５２が開く方向（矢印Ａの向き）に付勢力を有したバネ５３を備える。腕状部品の下部はギア形状５２ｂになっており、アイドラギア５４と連結している。なお、本実施例では、腕状部品を２個備えているが、腕状部品の数は１個または３個以上でもよい。
【００２８】
図６に示すように、アイドラギア５４は、さらに回転軸５５の両端に固定された駆動ギア５６と連結しており、回転軸５５が回転すると、左右の駆動ギア５６が回転し、アイドラギア５４を介して、左右の腕状部品５２が同期して回転する構造になっている。
【００２９】
図７に示すように、回転軸５５の中央付近には、回転軸５５に固定され軸といっしょに回転し、側面に歯型状の複数の溝５７ａを持つ歯型部品５７を備える。歯型部品５７に隣接する位置には、回転軸に固定されておらず、回転軸５５の回転に伴って連れ回らずに回転自由であり、また横方向にもスライド可能なレバー部品５８がある。レバー部品５８を間にして、歯型部品５７の反対側には、圧縮バネ５９が配置され、レバー部品５８を歯型部品５７に押し付けている。
【００３０】
レバー部品５８の側面には、歯型部品５７の複数の溝と噛み合う歯型形状５８ａを持ち、圧縮バネ５９に押し付けられることにより、歯型部品５７とかみ合う構造になっている。この歯型部品５７とレバー部品５８の側面の歯型は、レバー部品５８を回転させたときに1方向（扉部５０を閉じる向き）には噛み合って歯型部品５７も回転させるが、反対方向（扉部５０を開く向き）に回転させたときには噛み合わず、レバー部品５８のみが回転するような歯型形状になっている。ここで、レバー部品５８には、側面の歯型が噛み合わない方向にひっぱる方向のバネ６０が取り付けられている。また、レバー部品がある位置でとまるようにするストッパ６１がある。
【００３１】
図８に示すように、歯型部品５７は、直径方向に複数の溝を有したギア状の別の歯型５７ｂを持ち、その歯型にかみ合うロックレバー部品６２を備えている。ロックレバー６２は、バネ６３で歯形部品５７に押し付けられている。ロックレバー６２は、歯型部品５７が回転しようとしたときに1方向（扉部５０を開く向き）には噛み合ってロックがかかるが、反対方向（扉部５０を閉じる向き）に回転させたときには噛み合わず、自由に回転できるような形状になっている。
【００３２】
図９に示すように、レバー部品５８が扉部５０を閉じる向き（矢印Ｂの向き）に一定角度以上回転したときに当接し、レバー部品５８を横方向である歯型部品５７とは反対側の向き（矢印Ｃの向き）に押して、レバー部品５８をスライドさせる固定壁６４を備える。固定壁６４に押されてレバー部品５８が横方向にスライドすると、歯型部品５７との噛み合いがはずれるようになっている。
【００３３】
図１０に示すように、レバー部品５８が扉部５０を閉じる向き（矢印Ｄの向き）に一定角度以上回転したときに、ロックレバー６２を押すような突起形状５８ｂをレバー部品５８は備える。また、ロックレバー６２は、レバー部品５８側に突出した突起部６２ａを有している。突起部６２ａがレバー部品５８に押されることによって、ロックレバー６２は、バネ６３の付勢力に逆らって矢印Ｅの向きに回転し、歯型部品５７との噛み合いがはずれるようになっている。
【００３４】
次に、本発明にかかる紙葉類繰出集積装置を適用した計数庫８０の動作について説明する。図１１に示すように、レバー部品５８と歯型部品５７の側面の歯型は、レバー部品５８を下方（矢印Ｆの向き）に押し込んだときに噛み合う形状になっており、また、この方向ではロックレバー６２が歯型部品に噛み合わない形状になっているため、レバー部品５８を下方に押しこむと、レバー部品５８にかみ合った歯型部品５７が回転する。歯型部品５７が回転すると、歯型部品５７に固定された回転軸５５が回転し、回転軸両端の駆動ギア５６、アイドラギア５４を介して、腕状部品５２が閉じる方向（矢印Ｇの向き）にバネ５３に逆らって回転する。  その後、レバー部品５８の押しこみを離したときには、ロックレバー６２が歯型部品５７に噛み合う形状になっているため、歯型部品５７にロックがかかり、歯型部品５７に連結する腕状部品５２もその位置で保持される。ここで、レバー部品５８は、バネ６０により上方にひっぱられるが、この方向には歯型部品５７に噛み合わず、圧縮バネ５９に逆らって横にスライドした後、ストッパ６１で止まる位置まで上方に回転する。レバー部品５８を押し込んだ後離す動作を繰り返すことにより、腕状部品５２を一定角度ずつ閉じていくことができ、その回数によって腕状部品５２の角度を自由に調整することができる。
【００３５】
次に、腕状部品５２を開く方向の動作について説明する。図１２に示すように、レバー部品５８を一定以上下方に押し込むと、固定壁６４によりレバー部品５８が横方向にスライドされる。これにより歯型部品５７との噛み合いが外れる。また、レバー部品５８の突起形状５８ｂがロックレバー６２の突起部６２ａを押し、ロックレバー６２と歯型部品５７の噛み合いもはずれる。これにより、歯型部品５７から腕状部品５２までが自由に動ける状態となり、腕状部品５２を開く方向に押すバネ５３のバネ力により、矢印Ｈの向きに回転し、腕状部品５２は初期位置である最も開いた位置まで動いて開く。
【００３６】
ここで、図１３に示すように、レバー部品５８のレバーは押板４６が接触して押し込むことができるレバー形状５８ｃとなっている。以降では、押板制御と関連させて動作を説明する。
【００３７】
押板４６は、モータ（図示なし）で駆動することで自由に移動させることができ、センサ（図示なし）によりその高さも検知できる。腕状部品５２を動かすために、押板４６をレバー５８ｃに接する位置Ｉまで下降させた後、さらに位置Ｊまで下降させることで、レバーを下方に押し込み、ギアを介して腕状部品５２が一定角度閉じる方向に動く。
【００３８】
その後、押板４６を位置Ｉまで上昇させると、レバー５８ｃは元位置に復帰するが、腕状部品５２に連結される歯型部品５７がロックレバー６２により保持されるため、腕状部品５２の角度も保持される。その後、また押板４６を位置Ｊまで下降させた後、Ｉまで上昇させると、腕状部品５２はさらに一定角度動く。このように、押板４６を位置Ｉから位置Ｊまで上下に動かすことで、その上下の回数に応じて、腕状部品５２の角度を自由に設定することができる。
【００３９】
また、腕状部品５２を開く方向に動かしたい場合には、押板４６を位置Ｊよりさらに下方の位置Ｋまで下降させる。これにより、歯型部品５７のロックが解除され、腕状部品５２は初期位置である一番開いた位置まで開く。その後、再度押板４６を位置Ｉから位置Ｊまで上下に複数回動かすことで、設定したい角度に腕状部品５２を合わせることができる。なお、駆動ギアには図示しない遮光板がついており、その遮光板によるライトまたはダークをセンサで検知することにより、腕状部品５２の角度を検知することができるようになっている。この角度を検知することにより、腕状部品５２がどの位置まで開いているのか、さらには第２の壁面８０ｂの短手方向の位置を容易に把握することができる。
【００４０】
ここで、図１４に示すように、腕状部品５２の先端面５２ａは、収納される紙幣を規制する第２の壁面８０ｂに相当する。つまり、腕状部品５２の角度θに応じて、第２の壁面８０ｂの位置が決まり、第１の壁面８０ａと第２の壁面８０ｂの間に形成される紙幣収納空間８０ｃの短手方向のサイズＹを自由に調整することができる。なお、腕状部品５２が回転する構造と異なる他の実施形態として、第２の壁面８０ｂを形成する部品が押板に連動して、第１の壁面との間の距離を変える方向にスライド動作で動くような構造でもよい。
【００４１】
次に、本発明にかかる紙葉類繰出集積装置を適用した計数庫８０を用い、サイズの異なる紙幣が収納された複数の紙幣収納庫の紙幣枚数を自動計数する動作について説明する。
【００４２】
自動計数動作は、1つの紙幣収納庫の紙幣を全枚繰り出して、計数庫８０に収納した後、再度紙幣繰出集積装置から全枚紙幣を繰り出して、元の紙幣収納庫に戻す動作を行い、このときの紙幣収納枚数を数えることで紙幣収納庫の紙幣枚数を計数する。この動作の中で、紙幣収納庫から繰り出される紙幣の紙幣サイズに合わせ、紙幣繰出集積装置の収納空間のサイズを調整する必要がある。そこで、計数庫８０に紙幣を収納する前に、押板４６を制御し、収納空間のサイズを収納される紙幣のサイズに合わせて調整する。これを各紙幣収納庫ごとに行うことで、サイズの異なる紙幣が収納された複数の紙幣収納庫の紙幣枚数を自動計数することが可能となる。
【００４３】
本発明にかかる紙葉類繰出集積装置を適用した計数庫８０は、自動計数用としてだけでなく、普通の紙幣収納庫としても使用することができる。自動で紙幣収納空間を調整することができる紙幣収納庫として、例えばある金種の紙幣収納庫やリジェクト庫が満杯になって使えなくなったときに、他の紙幣収納庫の収納空間を変更して、それらの代わりに使うといった運用が可能となる。
【００４４】
また、本発明にかかる紙葉類繰出集積装置を適用した計数庫８０を紙幣取扱装置１から取り出して持ち運びする際に、腕状部品５２は開く側にロックされるため、収納紙幣におされて腕状部品５２が開き、紙幣収納空間８０ｃが広がってしまうことがない。そのため、収納紙幣が暴れて姿勢が乱れてしまうという問題が発生せず、安定した持ち運びが可能である。
【００４５】
上記説明したように、本実施例によれば、計数庫の紙幣の収納空間の短手方向の一面を形成する壁を押板の動きに連動して動かせる構造にすることで、アクチュエータを追加することなく、上記収納空間に入ってくる紙幣の短手寸法に合わせて計数庫の収納空間のサイズを変えることができる。これにより、どのような短手寸法の紙幣に対しても計数庫の収納空間のサイズを合わせることができる。したがって、例えば、金種によって紙幣の短手寸法が異なる国においても、紙幣収納庫内の紙幣枚数を自動で数えられるような紙幣取扱装置を、アクチュエータを追加することなく、かつ計数庫の載せ替えだけで実現することができる。
【符号の説明】
【００４６】
１…紙幣取扱装置、１０ａ〜１０ｈ…搬送路、２０…入出金口部、３０…紙幣判別部、３５…一時収納部、７０…計数庫、７１〜７４…紙幣収納庫、７５…リジェクト庫、８０…計数庫、８０a…第１の壁面、８０ｂ…第２の壁面、８０ｃ…紙幣収納空間、５０…扉部、５２、５２ａ〜５２ｃ…腕上部品、５３…バネ、５４…アイドラギア、５５・・・回転軸、５６…駆動ギア、５７、５７ａ、５７ｂ…歯型部品、５８、５８ａ〜５８ｃ…レバー部品、５９…バネ、６０…バネ、６１…ストッパ、６２…ロックレバー、６２ａ…突起部、６３…バネ、６４…固定壁、
４６…押板。
【図１】
2018158764.tif 000003
【図２】
2018158764.tif 000004
【図３】
2018158764.tif 000005
【図４】
2018158764.tif 000006
【図５】
2018158764.tif 000007
【図６】
2018158764.tif 000008
【図７】
2018158764.tif 000009
【図８】
2018158764.tif 000010
【図９】
2018158764.tif 000011
【図１０】
2018158764.tif 000012
【図１１】
2018158764.tif 000013
【図１２】
2018158764.tif 000014
【図１３】
2018158764.tif 000015
【図１４】
2018158764.tif 000016